(57)【特許請求の範囲】
【請求項１】
コンクリートが打設される床下部分に防蟻剤を配設する床下防蟻方法において、前記コンクリートを打設した後、当該コンクリートが硬化する前に、防蟻対象個所に対して開放された形状の防蟻剤充填部を形成する治具を前記コンクリートに食い込ませ、当該コンクリートの硬化によって当該コンクリート上に前記治具を固定するとともに、当該コンクリートの硬化前もしくは硬化後に前記防蟻剤充填部に防蟻剤を充填することを特徴とする床下防蟻方法。
【請求項２】
請求項１記載の床下防蟻方法において、基礎に隣接して土間コンクリートを打設した後、当該土間コンクリートが硬化する前に、当該土間コンクリートと前記基礎との接合部分に沿って当該接合部分に開放された形状の防蟻剤充填部を形成する治具を前記土間コンクリートに食い込ませ、当該土間コンクリートの硬化によって当該土間コンクリート上に前記治具を固定するとともに、当該土間コンクリートの硬化前もしくは硬化後に前記防蟻剤充填部に防蟻剤を充填することを特徴とする床下防蟻方法。
【請求項３】
請求項１または２記載の床下防蟻方法において、前記治具として、前記コンクリート上に載置される底板と、この底板から立ち上がって前記基礎との間に防蟻剤充填部を形成する側板と、前記土間コンクリートに食い込む形状の食い込み部とを有するものを用いることを特徴とする床下防蟻方法。
【請求項４】
請求項３記載の床下防蟻方法において、前記食い込み部として、前記底板から下方に突出する突出部を形成しておくことを特徴とする床下防蟻方法。
【請求項５】
請求項３または４記載の床下防蟻方法において、前記食い込み部として、前記底板に複数の貫通孔を設けておくことを特徴とする床下防蟻方法。
【請求項６】
請求項１記載の床下防蟻方法において、前記コンクリートがべた基礎を構成するものであることを特徴とする床下防蟻方法。
【請求項７】
請求項１または６記載の床下防蟻方法において、前記治具として、開口部を有し、前記コンクリート上に載置される底板と、この底板から立ち上がって内側に防蟻剤充填部を形成する側板と、底板よりも下方に突出し、前記土間コンクリートに食い込む形状の突出部とを有するものを用いることを特徴とする床下防蟻方法。
【請求項８】
請求項７記載の床下防蟻方法において、前記突出部を前記コンクリートにおいて応力が集中する個所に食い込ませて当該個所でのクラックを誘発させるようにすることを特徴とする床下防蟻方法。
【請求項９】
請求項１〜８のいずれかに記載の床下防蟻方法において、前記コンクリートが硬化する前に前記防蟻剤充填部に防蟻剤を充填することを特徴とする床下防蟻方法。
【請求項１０】
請求項１〜９のいずれかに記載の床下防蟻方法において、前記コンクリートを打設する前に防蟻シートまたは防湿シートを敷設しておき、当該シート上にコンクリートを打設することを特徴とする床下防蟻方法。
【請求項１１】
コンクリートが打設される床下部分に防蟻剤を配設するための床下防蟻用治具であって、硬化前のコンクリートに食い込ませるための食い込み部と、この食い込み部が前記コンクリートに食い込んだ状態で前記床下部分の防蟻対象個所に対して開放された形状の防蟻剤充填部を形成する本体部とを有することを特徴とする床下防蟻用治具。
【請求項１２】
基礎と土間コンクリートとの接合部分に防蟻剤を配設するための床下防蟻用治具であって、前記本体部として、土間コンクリート上に載置される底板と、この底板の片側端から立ち上がって前記基礎との間に防蟻剤充填部を形成する側板とを有することを特徴とする請求項１１記載の床下防蟻用治具。
【請求項１３】
請求項１２記載の床下防蟻用治具において、前記食い込み部は、前記底板から下方に突出する突出部からなることを特徴とする床下防蟻用治具。
【請求項１４】
請求項１３記載の床下防蟻用治具において、前記突出部は、下方に向かうに従って断面積が大きくなる形状を有していることを特徴とする床下防蟻用治具。
【請求項１５】
請求項１２〜１４のいずれかに記載の床下防蟻用治具において、前記食い込み部は、前記底板に設けられた複数の貫通孔からなることを特徴とする床下防蟻用治具。
【請求項１６】
請求項１１記載の床下防蟻用治具において、前記本体部として、開口部を有し、コンクリート上に載置される底板と、この底板から立ち上がって内側に防蟻剤充填部を形成する側板とを有することを特徴とする床下防蟻用治具。
【請求項１７】
請求項１６記載の床下防蟻用治具において、前記底板をその中間部が両端部よりも上方に位置する形状としたことを特徴とする床下防蟻用治具。
【請求項１８】
請求項１６記載の床下防蟻用治具において、前記底板の上方に、この底板の開口部の開口面積よりも小さい開口面積をもつ開口部を有し、両側板同士を連結する内壁を形成したことを特徴とする床下防蟻用治具。
【請求項１９】
請求項１６または１７記載の床下防蟻用治具において、前記食い込み部として、前記底板よりも下方に突出する突出部を形成したことを特徴とする床下防蟻用治具。
【請求項２０】
請求項１８記載の床下防蟻用治具において、前記食い込み部として、前記内壁の中間部から前記底板よりも下方の位置まで突出部を突出させたことを特徴とする床下防蟻用治具。
【請求項２１】
請求項１１〜２０のいずれかに記載の床下防蟻用治具の食い込み部が床下部分のコンクリートに食い込んだ状態で当該コンクリート上に固定されるとともに、当該治具によって形成された防蟻剤充填部に防蟻剤が充填されていることを特徴とする床下防蟻構造。
【発明の詳細な説明】
【０００１】
【発明の属する技術分野】
本発明は、基礎及び土間コンクリートが設けられる床下部分の防蟻をするための方法及び構造並びに防蟻用治具に関するものである。
【０００２】
【従来の技術】
一般に、住宅等の床下部分に防蟻処理を施す方法として、防蟻剤の散布や防蟻シートの敷設が良く行われている。しかし、布基礎や独立基礎とは別にこれと隣接して土間コンクリートを打設する場合や、打設したコンクリートの形状が均一でなく応力集中の発生する部分が存在する場合等には、当該コンクリートの硬化時や硬化後に、基礎と土間コンクリートとの接合部分やコンクリートの応力集中部分に、そのコンクリート収縮等に起因してクラック（ひび割れ）が発生するおそれがあり、このようなクラックからの白蟻の侵入を前記防蟻剤の散布や防蟻シートの敷設のみで防ぐことは極めて困難である。
【０００３】
そこで、かかる部分に局所的に防蟻処理を施す方法として、特公平７−８６２５１号公報には、布基礎と土間コンクリートとの接合部分に沿って土間コンクリート上に溝を形成し、この溝内に防蟻剤を充填する方法が開示されている。そして、同公報では、前記溝を形成する具体的方法として、Ａ）コンクリート打設前に前記溝に相当する形状の型枠を配置しておき、コンクリート打設後に当該型枠を抜き取る方法や、Ｂ）コンクリートを打設した後に削岩機などで溝を形成する方法が記載されている。
【０００４】
【発明が解決しようとする課題】
Ａ）の方法では、コンクリートを打設した後、その硬化を待ってから型枠を抜き取る作業が必要であり、施工能率が悪い。また、型枠を抜き取る作業は必ずしも容易でなく、かかる作業を広範囲にわたって行うことは大きな負担となる。Ｂ）の方法では、削岩機等の大掛かりな機械が必要であり、また、その施工の際に発生する騒音も問題となる。
【０００５】
本発明は、このような事情に鑑み、コンクリートが打設される床下部分の局所的な防蟻処理を簡単な作業で効率よく行うことができる方法及び構造並びにそのための治具を提供することを目的とする。
【０００６】
【課題を解決するための手段】
上記課題を解決するための手段として、本発明は、コンクリートが打設される床下部分に防蟻剤を配設する床下防蟻方法において、前記コンクリートを打設した後、当該コンクリートが硬化する前に、防蟻対象個所に対して開放された形状の防蟻剤充填部を形成する治具を前記コンクリートに食い込ませ、当該コンクリートの硬化によって当該コンクリート上に前記治具を固定するとともに、当該コンクリートの硬化前もしくは硬化後に前記防蟻剤充填部に防蟻剤を充填するものである。
【０００７】
この方法によれば、土間コンクリートが硬化する前の段階で当該コンクリートに防蟻用治具を食い込ませるだけの簡単な作業で、当該治具を適所に固定することができ、この治具によって防蟻剤充填部を形成することができる。従って、従来のように土間コンクリートの硬化を待ってから型枠を抜くといった作業が不要であり、例えば前記土間コンクリートが硬化する前に前記防蟻剤充填部に防蟻剤を充填することも可能となる。
【０００８】
この方法は、例えば、基礎と土間コンクリートとの接合部分に防蟻剤を配設する場合に有効に適用できる。この場合は、前記土間コンクリートを打設した後、当該土間コンクリートが硬化する前に、前記接合部分に沿って防蟻剤充填部を形成する形状の治具を前記土間コンクリートに食い込ませ、当該土間コンクリートの硬化によって当該土間コンクリート上に前記治具を固定するとともに、当該土間コンクリートの硬化前もしくは硬化後に前記防蟻剤充填部に防蟻剤を充填するようにすればよい。
【０００９】
また、本発明は当該接合部分に対する防蟻に限らず、前記土間コンクリートの中間部分（例えば肉厚の急変により応力が集中しやすくてクラックが発生しやすい部分）に対する防蟻にも有効である。例えば、前記コンクリートがべた基礎を構成するものであってもよい。
【００１０】
この場合、前記治具として、開口部を有し、前記コンクリート上に載置される底板と、この底板から立ち上がって内側に防蟻剤充填部を形成する側板と、底板よりも下方に突出し、前記土間コンクリートに食い込む形状の突出部とを有するものが好適である。このような治具の防蟻剤充填部に防蟻剤を充填することにより、当該防蟻剤を底板の開口部を通じてその下方のコンクリート上面に臨ませることができる。
【００１１】
さらに、前記突出部を前記コンクリートにおいて応力が集中する個所に食い込ませて当該個所でのクラックを誘発させるようにすれば、他の部分でのクラック発生を抑止できるとともに、クラック発生個所に対する防蟻を確実に行うことができる。
【００１２】
本発明方法では、前記コンクリートを打設する前に防蟻シートまたは防湿シートを敷設しておき、当該シート上にコンクリートを打設するようにすることにより、当該シートによって、接合部分以外の防蟻も確実に行うことができる。
【００１３】
また本発明は、コンクリートが打設される床下部分に防蟻剤を配設するための床下防蟻用治具であって、硬化前のコンクリートに食い込ませるための食い込み部と、この食い込み部が前記コンクリートに食い込んだ状態で前記床下部分の防蟻対象個所に対して開放された形状の防蟻剤充填部を形成する本体部とを有するものである。
【００１４】
この治具によれば、食い込み部を硬化前のコンクリートに食い込ませることによって、当該コンクリートに治具を確実に固定することができるとともに、防蟻対象個所に対して開放された形状の好適な防蟻剤充填部を形成することができる。
【００１５】
具体的に、基礎と土間コンクリートとの接合部分に対する防蟻を行う場合には、前記治具として、前記土間コンクリート上に載置される底板と、この底板から立ち上がって前記基礎との間に防蟻剤充填部を形成する側板と、前記土間コンクリートに食い込む形状の食い込み部とを有するものが好適である。
【００１６】
この治具によれば、底板の存在によって治具全体をコンクリート上に安定した状態で設置でき、側板の存在によって好適な防蟻剤充填部を形成できるとともに、食い込み部を硬化前の土間コンクリートに食い込ませることによって、当該土間コンクリートに治具を確実に固定することができる。
【００１７】
この場合の食い込み部としては、前記底板から下方に突出する突出部を形成したものや、前記底板に複数の貫通孔を設けたもの等が好適である。
【００１８】
さらに、前記突出部を、下方に向かうに従って断面積が大きくなる形状にすれば、硬化後の土間コンクリートからの突出部の抜けをより確実に防止できる。
【００１９】
また、土間コンクリートの中間部分やべた基礎の底部等における防蟻を行うための治具としては、前記本体部として、開口部を有し、コンクリート上に載置される底板と、この底板から立ち上がって内側に防蟻剤充填部を形成する側板とを有するものが好適である。
【００２０】
この治具によれば、前記底部及び一対の側板からなる本体部に防蟻剤を充填することができるとともに、この防蟻剤を底板の開口部を通じてコンクリートの防蟻対象個所に臨ませることができる。
【００２１】
この治具において、より有効な防蟻を行うためには、防蟻対象個所に対する防蟻剤の露出面積、すなわち、底板開口部の開口面積を大きく設定することが好ましい。その一方で、底板にはある程度の強度が要求されるため、その開口部をみだりに大きくすることは難しい。しかし、前記底板をその中間部が両端部よりも上方に位置する形状とし、この底板中間部とコンクリート上面との間の領域にも防蟻剤が充填されるようにすれば、底板開口部の面積が小さくても防蟻対象個所に対する防蟻剤の露出面積を大きくすることができる。
【００２２】
また、前記底板の上方に、この底板の開口部の開口面積よりも小さい開口面積をもつ開口部を有し、両側板同士を連結する内壁を形成するようにすれば、当該内壁によって治具全体の強度を確保しながら、底板の開口面積を大きくすることができる。
【００２３】
このタイプの治具では、前記食い込み部として、前記底板よりも下方に突出する突出部を形成したものが好適である。また、この突出部をコンクリートにおいて元来クラックが発生しやすい個所（例えば応力集中個所）に食い込ませてクラックを誘発させれば、他の部分、すなわち、防蟻剤を配設していない部分でクラックが発生するのを未然に回避することができる。
【００２４】
ここで、前記内壁をもつ治具では、当該内壁の中間部から前記底板よりも下方の位置まで突出部を突出させるようにすればよい。このようにすれば、前記突出部の食い込みによってコンクリートに発生したクラック部分を確実に防蟻剤で覆うことができる。
【００２５】
また本発明は、以上の床下防蟻用治具の食い込み部が床下部分のコンクリートに食い込んだ状態で固定されるとともに、その床下防蟻用治具により形成された防蟻剤充填部に防蟻剤が充填されている床下防蟻構造である。
【００２６】
【発明の実施の形態】
本発明の第１の実施の形態を図１及び図２に基づいて説明する。
【００２７】
図１において、地盤１０上に基礎（布基礎または独立基礎）１２が立設され、その上に土台１４が設置されている。基礎１２の内側領域（図１では右側領域）には土間コンクリート１８が打設され、この土間コンクリート１８の下に防蟻シート１６が敷設されている。そして、当該土間コンクリート１８と基礎１２との接合部分に沿って本発明にかかる防蟻用治具２０が配設され、この防蟻用治具２０によって形成された防蟻剤充填部に防蟻剤３０が充填されている。
【００２８】
前記防蟻用治具２０の詳細を図２（ａ）（ｂ）に示す。この防蟻用治具２０は、土間コンクリート１８上に載置される底板２１と、この底板２１の片側端部（基礎１２と反対側の端部；図２（ａ）では右側端部）から立ち上がる側板２２とを一体に有している。これら底板２１及び側板２２によって、基礎１２の側面及び基礎１２と土間コンクリート１８の接合部分に開放された形状の防蟻剤充填部が形成されている。
【００２９】
底板２１には、これを肉厚方向に貫通する多数の貫通孔２４が設けられるとともに、当該治具２０の長手方向（図２（ａ）の奥行き方向）に沿って延びる突条２６が形成されている。この突条２６は、図例では、下方に向かうに従って幅広となる台形状をなしている。
【００３０】
この実施の形態での施工手順は次の通りである。
【００３１】
１）基礎１２の内側領域に防蟻シート１６を敷設する。この防蟻シート１６としては、ポリプロピレンやポリエチレン等の防湿性を有する合成樹脂に後述の殺虫剤を混入させたものなどが好適である。また、必ずしも防蟻剤を混入させなくてもよく、単なる防湿シートを用いてもよいし、逆に、不織布のように防湿性を有しない母材に殺虫剤等を混入させたものでもよい。なお、この１）の工程は本発明において必ずしも含まれるものではない。
【００３２】
２）防蟻シート１６の上に土間コンクリート１８を打設する。
【００３３】
３）土間コンクリート１８が硬化しないうちに、土間コンクリート１８上に防蟻用治具２０の底板２１を載置する。その際、底板２１を土間コンクリート１８に押付け、突条２６を硬化前コンクリートに食い込ませるとともに、貫通孔２４に変形したコンクリートが入り込むようにする。このようにしておくことにより、土間コンクリート１８の硬化に伴って、防蟻用治具２０が自然にかつ安定した状態で土間コンクリート１８に固定されることになる。また、側板２２と基礎１２の側面との間には、当該基礎側面側に開放された防蟻剤充填部が形成される。
【００３４】
４）土間コンクリート硬化前もしくは硬化後に、前記防蟻剤充填部内に防蟻剤３０を充填する。この防蟻剤３０としては、流動性を有するものが好適であり、液状のものの他、粒状、粉状のもの等が使用可能である。さらに、充填後に半硬化するものであれば、なお好ましい。
【００３５】
当該防蟻剤３０の具体的な成分も問わないが、例えば、アスファルトもしくは適当なエマルジョン（アクリル系やウレタン系等の合成樹脂のエマルジョンまたはＳＢＲをはじめとする合成ゴムのエマルジョン）中に、ピレスロイド系殺虫剤や有機リン系殺虫剤をはじめとする種々の殺虫剤から有効なものを選択して混入したもの等が好適である。前記ピレスロイド系殺虫剤としては、シラフルフェン、エトフェンプロックス、ビフェントリン等が挙げられる。
【００３６】
このような防蟻剤３０の配設により、仮に土間コンクリート１８と基礎１２との接合部分にクラックが発生しても、当該クラックから白蟻が上方へ侵入するのを阻止することができる。
【００３７】
以上の方法によれば、防蟻用治具２０の底板２１を硬化前のコンクリートに押付けるだけのきわめて簡単な作業で、当該防蟻用治具２０を土間コンクリート１８に固定することができ、当該治具２０によって防蟻剤充填部を形成することができる。また、従来のようにコンクリート硬化を待ってから溝形成用の型枠を抜き取るといった面倒がなく、コンクリート打設後はいつでも防蟻剤３０の充填を行うことが可能であり、施工能率は飛躍的に向上する。また、最初の充填から特定の期間が経過した後（例えば何年か後）に防蟻剤３０を再充填することにより、半永続的に防蟻効果を維持することも可能である。
【００３８】
なお、前記防蟻用治具２０の貫通孔２４及び突条２６については、いずれか一方のみを設けるようにしてもよい。突条２６の具体的な形状も特に問わず、治具２０の幅方向に延びるものや、断面が単純な矩形状のものでもよい。
【００３９】
また、図３（ａ）（ｂ）に示すように、底板２１の適所から食い込み用の板状の突出部２８を下方に突出させるようにしても良い。ただし、例えば前記図２（ａ）に示すように下方に向かうに従って断面積の大きくなる形状にすれば、硬化後の土間コンクリート１８からの抜けをより確実に防止することが可能になる。この場合も、具体的な形状は図示の台形状に限らず、円錐台状や角錐台状、吸盤状など、種々の形状設定が可能である。また、底板２１の下面に細かい凹凸を形成するようにしても、土間コンクリート１８との間に適当な接着力を確保することが可能である。
【００４０】
本発明の第２の実施の形態を図４〜図６に基づいて説明する。
【００４１】
図４に示すように、この実施の形態では、地盤１０上にコンクリート製のべた基礎１２′が打設され、その下に防蟻シート１６が敷設されている。前記べた基礎１２′の底部１３には、その底面に角部１３ａがあるために応力が集中してクラック３２が発生しやすい部分が存在している。そして、この部分に沿って本発明にかかる防蟻用治具２０が配設され、この防蟻用治具２０によって形成された防蟻剤充填部に防蟻剤３０が充填されている。
【００４２】
前記防蟻用治具２０の詳細を図５及び図６（ａ）（ｂ）に示す。この防蟻用治具２０は、べた基礎底部１３上に載置される底板２１と、この底板２１の両側端部から立ち上がる一対の側板２２とを一体に有し、底板２１はその中間部で大きくかつ完全に分断されて幅広の開口部２１ａ（図６（ａ））を形成している。これら底板２１及び側板２２によって、下方に開放された形状の防蟻剤充填部を形成する本体部が構成されている。
【００４３】
底板２１よりも少し上方の位置には、両側板２２を水平方向に連結する内壁２３が形成されている。この内壁２３には、これを肉厚方向に貫通する多数の貫通孔２５が設けられているが、これらの貫通孔２５の開口面積は前記底板２１の開口面積（すなわち両底板２１の間に形成されている開口部２１ａの面積）よりも小さくなっている。また、内壁２３の中間部からは下方に板状の突出部２８が突出し、その下端が両底板２１よりも下方の位置にまで至っている。
【００４４】
この実施の形態での施工手順は次の通りである。
【００４５】
１）地盤１０上に防蟻シート１６を敷設する。この防蟻シート１６については、前記第１の実施の形態と全く同様であり、単なる防湿シートを用いてもよい。また、この１）の工程が本発明において必ずしも含まれるものではないことも同様である。
【００４６】
２）防蟻シート１６の上にコンクリートを打設してべた基礎１２′を構築する。
【００４７】
３）前記コンクリートが硬化しないうちに、べた基礎底部１３上の特定個所（クラックが発生しやすい個所）に防蟻用治具２０を設置する。詳しくは、前記特定個所に突出部２８の下部を食い込ませながら、底板２１がコンクリート上に着くまで押し込む。このようにしておくことにより、コンクリートの硬化に伴って、防蟻用治具２０が自然にかつ安定した状態でべた基礎底部１３上に固定されるとともに、突出部２８の食い込みによって当該食い込み個所から縦方向のクラック３２が誘発され、他の個所すなわち防蟻を予定していない個所でクラック３２が発生することが未然に回避される。
【００４８】
４）土間コンクリート硬化前もしくは硬化後、両側壁２２の間に上から防蟻剤３０を充填する。この防蟻剤３０も、前記第１の実施の形態で示したものと同等のものが使用できる。充填した防蟻剤は、内壁２３に設けられた各貫通孔２５を通過し、当該内壁２３とコンクリート上面との間の領域にまで行き渡る。すなわち、この防蟻剤３０は両底板２１の間に形成された幅広の開口部２１ａを通じて大きな面積でコンクリート側（下側）に露出し、クラック３２の周囲を上から完全に覆う。従って、当該クラック３２から白蟻が上方へ侵入するのを阻止することができる。
【００４９】
この方法でも、防蟻用治具２０の突出部２８を硬化前のコンクリートに押付けるだけのきわめて簡単な作業で、当該防蟻用治具２０を土間コンクリート１８に固定することができ、当該治具２０によって防蟻剤充填部を形成することができる。また、従来のようにコンクリート硬化を待ってから溝形成用の型枠を抜き取るといった面倒がなく、コンクリート打設後はいつでも防蟻剤３０の充填を行うことが可能であり、前記第１の実施の形態と同様に施工能率は飛躍的に向上する。また、最初の充填から特定の期間が経過した後（例えば何年か後）に防蟻剤３０を再充填することにより、半永続的に防蟻効果を維持することも同様である。
【００５０】
なお、底板２１の開口面積を大きくしながら治具強度を確保するには、前記のように底板２１とは別に両側板２２を連結する内壁２３を形成することが好ましいが、この内壁２３は省略することも可能である。この場合、十分な強度を確保できる範囲で底板２１の開口面積（すなわちコンクリートへの防蟻剤３０の露出面積）を大きくすることが、より好ましい。例えば、第３の実施の形態として図７（ａ）（ｂ）に示すように、底板２１に縦長の貫通孔２４を千鳥状に配設する等の工夫が有効である。
【００５１】
また、食い込み部としての突出部は必ずしも板状でなくてもよく、例えば図８（ａ）に示すように、内壁２３の中間部（あるいは底板中間部でもよい）を例えば押出し成形や折り曲げ加工によって下に凸の略Ｖ字状断面の突出部２７を形成してもよいし、同図（ｂ）に示すように内壁２３の中間部（あるいは底板中間部でもよい）に下向きの取付用突起２３ａを形成して、これに治具とは別部材の食い込み用部材２９を被着するようにしてもよい。この場合、図示のように食い込み用部材２９に鍔部２９ａを形成する等してコンクリート上面に対する当りをつけておけば、より安定した状態で治具２０を固定することが可能になる。
【００５２】
また、内壁２３を設ける他、図８（ｃ）に示すように底板２１をその中間部が両端部（側板２２とつながる部分）よりも上方に位置するような山型状（その他上向き凸の曲線状や折れ線状等でもよい）に形成し、これに貫通孔２４を設けるようにしておけば、当該貫通孔２４の開口面積が小さくても、当該貫通孔２４を通じて底板２１の中間部とコンクリート上面との間の領域にまで防蟻剤を行き渡らせることにより、コンクリート上面に対して防蟻剤を大きな面積で臨ませることが可能になる。
【００５３】
その他、本発明は例えば次のような形態をとることも可能である。
【００５４】
・本発明では、防蟻用治具２０の具体的な材質を問わず、合成樹脂、金属、硬質の紙や布など、ある程度の保形性を有するものであれば広く適用が可能である。また、合成樹脂に防蟻剤を練り込んで押出し成形したものや、紙材や布材に防蟻剤を含侵させたもので防蟻用治具２０を形成すれば、防蟻効果はさらに高まる。
【００５５】
・防蟻用治具２０の側板２２は必ずしも垂直でなくてもよく、多少左右に傾斜していてもよい。要は、特定方向に開放された防蟻剤充填部を形成できる形状であればよい。また、第２の実施の形態のようにコンクリート中間部分での防蟻を行う場合には、側板が防蟻剤充填部を全周にわたって囲む完全な容器状となるように治具を形成してもよい。
【００５６】
・防蟻用治具２０の長さも適宜設定可能であり、その配設領域全域に延びる長尺のものとしてもよいし、長手方向に分割したものを複数並べるようにしてもよい。また、食い込み部として下方に突出部を突出させる場合において、当該突出部は必ずしも治具長手方向に連続していなくてもよく、例えば棒状のものや針状のものであってもよい。
【００５７】
【発明の効果】
以上のように本発明は、コンクリートが打設される床下部分に防蟻剤を配設するにあたり、打設したコンクリートが硬化する前に当該コンクリートに防蟻用治具を食い込ませて当該コンクリートの硬化により固定し、この治具によって形成した防蟻剤充填部に防蟻剤を充填するようにしたものであるので、前記床下部分における局所的な防蟻処理を簡単な作業で効率よく行うことができる効果がある。
【図面の簡単な説明】
【図１】本発明の第１の実施の形態にかかる床下防蟻構造を示す断面図である。
【図２】（ａ）は（ｂ）のＡ−Ａ線断面図、（ｂ）は本発明の第１の実施の形態にかかる床下防蟻用治具の底面図である。
【図３】（ａ）（ｂ）は前記床下防蟻用治具の変形例を示す正面図である。
【図４】本発明の第２の実施の形態にかかる床下防蟻構造を示す断面図である。
【図５】本発明の第２の実施の形態にかかる床下防蟻構造の要部を示す断面図である。
【図６】（ａ）は（ｂ）のＢ−Ｂ線断面図、（ｂ）は本発明の第２の実施の形態にかかる床下防蟻構造を構成する床下防蟻用治具の底面図である。
【図７】（ａ）は（ｂ）のＣ−Ｃ線断面図、（ｂ）は本発明の第３の実施の形態にかかる床下防蟻構造を構成する床下防蟻用治具の底面図である。
【図８】（ａ）（ｂ）（ｃ）は前記床下防蟻用治具の変形例を示す断面図である。
【符号の説明】
１２  基礎
１２′  べた基礎
１３  べた基礎底部（コンクリート）
１６  防蟻シート
１８  土間コンクリート
２０  防蟻用治具
２１  底板
２２  側板
２４  底板の貫通孔
２６  突条（突出部）
２７，２８  突出部
２９  食い込み用部材
３０  防蟻剤
３２  クラック
【図１】
0004038295.tif 000002
【図２】
0004038295.tif 000003
【図３】
0004038295.tif 000004
【図４】
0004038295.tif 000005
【図５】
0004038295.tif 000006
【図６】
0004038295.tif 000007
【図７】
0004038295.tif 000008
【図８】
0004038295.tif 000009